(57)【特許請求の範囲】
【請求項１】
ウェブ上の一連のパネルをキルティングする方法であって、
異なる複数のキルティング製品をキルティングするために、キルティングする順序を決定する工程と、
材料のウェブ上に、上記キルティングする順序を決定する工程により決定された順序と反対の順序で一連のパネルをプリントする工程と、
前記ウェブ上に、プリントされた前記パネルと同調させてコード化された情報を配置する工程と、
前記ウェブを、前記パネルがプリントされた順序でロール上に巻き取る工程と、
前記ウェブを、前記ロールから、キルティング装置のキルティングステーションへと送り込む工程と、
前記キルティング装置におけるセンサによって、前記材料から前記コード化された情報を読み取る工程と、
前記センサによって前記材料から読み取られた前記情報に従って、前記材料のウェブ上のパネルを前記キルティング装置においてキルティングする工程と、  
を備え、
ウェブ上に配置された前記コード化された情報が、キルティング中に適合される収縮の量の情報を含み、
前記プリントする工程において、前記パネルが、適合される収縮の量だけキルティングされるパネルよりも長い長さを有してプリントされる、
ウェブ上の一連のパネルをキルティングする方法。
【請求項２】
前記コード化された情報は、
前記材料のウェブからキルティングされる複数のパネルの隣接したもの同士間に形成されるクロップの量に関する情報を含み、
かつ該方法は、前記センサによって前記材料から読み取られたクロップに関する情報に従って、前記材料から、キルティングされたパネル間のクロッピング材料を切断する工程を含む
請求項１記載の方法。
【請求項３】
センサによる前記材料から前記コード化された情報の読み取りに従い、前記キルティング装置のメモリから複数のパターンを選択する工程と、
選択された前記パターンの一つをキルティングする工程と、
をさらに含む
請求項１記載の方法。
【請求項４】
センサによって前記材料から読み取られた情報に従って、材料のキルティングを材料上のプリントと見当会わせする工程をさらに含む
請求項１記載の方法。
【請求項５】
センサによって前記材料から読み取られた情報に従って、前記材料からキルティングされたパネルを切り離す工程をさらに含む
請求項１記載の方法。
【請求項６】
前記材料上にプリントすべきパネルの順番に関する情報、及び前記材料上機械読取可能なレコード内へコード化されるべき情報を含む、機械読取可能なファイルを作成する工程と、
前記機械読取可能なファイルの読み取りに従って、前記ウェブ上に一連のパネルをプリントする工程と、
前記機械読取可能なファイルに読み取りに従って、前記ウェブ上に前記コード化された情報を、プリントされた前記パネルと協調して配置する工程と、
をさらに含む
請求項１記載の方法。
【発明の詳細な説明】
【技術分野】
【０００１】
[関連出願の相互参照]
本出願は、以下の従来技術文献１〜１２の全ての内容を参考文献として本願明細書に援用する（例えば、特許文献１乃至５参照）。
【特許文献１】米国特許第５,８７３,３１５号明細書
【特許文献２】米国特許第６,０１２,４０３号明細書
【特許文献３】米国特許第６,１５８,３６６号明細書
【特許文献４】米国特許第６,２６３,８１６号明細書
【特許文献５】米国特許出願公開第２００１００５２３１２号
【０００２】
本発明は、様々にプリントされたまたはそれ以外の方法で様々に下処理された材料をキルティングすること、特に、様々な下処理された材料で、様々なキルティング、パネルカッティング及びクロッピング作業を調整すること、及びキルティングによるパネル寸法の収縮に対処することに関する。
【背景技術】
【０００３】
掛け布団及びマットレスカバーの製造で使用されるキルティングパネルは、通常、織物製造でプリンティングまたはウィービングまたはその他のプロセスによって織物材料の見返し層に付着されたパターンで装飾されている。多くの場合、キルティングパターンの選択と、プリントその他の方法で見返し層に形成されるパターンとの間のいくらかの調整が望まれる。さらに、パターンは、キルティング及びプリントされるパターンの間で、見当合わせが望まれるようなこともある。
【０００４】
本発明の発明者の譲受人による、上記で特定された関連する特許及び公開は、プリンティングとキルティングの組合せ、キルティングされるパターンと、その他の方法でキルティングされる材料に付着されるパターンとの見当合わせ、及びキルト製造の過程で調整されたパターンの異なる組合せで形成された、異なる製品のバッチングを教示している。
【０００５】
さらに、本発明者の譲受人の他の特許が、圧縮性の布の層がキルトに縫われるときに生じる、材料の収縮またはギャザーに対処する必要性または、キルティングに付随する考慮及び問題点を記述している。このような問題点は、キルティングされたパネルを織物から切離するカッターを備えるキルタに織物から供給される材料の長さの制御及び調整を含んできる。このような特許は、参照文献として本願明細書に特に援用される３つの従来技術文献を含む（例えば、特許文献６乃至８参照）。これらの特許または、キルティング機が、多層材料の織物に沿ってまたは連続的に作業するキルティングライン上に、異なるキルト製品の１つまたは複数のパネルバッチを作成するようにして制御される、本明細書で「バッチ」プロセスと呼ばれているに言及している。このような製品の製造をスケジューリングするためにシステムが、これも、参考文献として本願明細書に特に援用される、本願の譲受人の従来技術文献に記載されている（例えば、特許文献９参照）。
【特許文献６】米国特許第５,１５４,１３０号明細書
【特許文献７】米国特許第５,５４４,５９９号明細書
【特許文献８】米国特許第６,２３７,５１７号明細書
【特許文献９】米国特許第６,１０５,５２０号明細書
【０００６】
本発明の譲受人は、キルティングされたマットレスカバー及び掛け布団を作製するために有用なタイプの織物層のプリンティングを教示している。このような方法は、例えば、参考文献として本願明細書に特に援用される、３つの別の従来技術文献（例えば、特許文献１０乃至１２参照）に開示されているものを含む。このようなプリント技術は、様々な異なるパターンを材料をプリントすること及び上記で言及されたキルティング製品を形成するのに使用するための情報を与えることで、特に有用である。
【特許文献１０】米国特許第６,３１２,１２３号明細書
【特許文献１１】米国特許出願公開第２００１００３８４０８号
【特許文献１２】米国特許出願公開第２００２００５８７０号
【０００７】
プリンティング及びキルティングが組合せされるとき、及びキルティング及びプリントされた製品の経済的な製造が実施されるべきであるところでは、各サブシステム単独の問題に焦点をおいた解決法によって対処されない新しい問題点を作製する。これらの問題の中に、収縮及びクロッピングが、キルトプリントパターンの調整及びパターンの見当合わせに付加するということがある。
【発明の開示】
【発明が解決しようとする課題】
【０００８】
本発明の主な目的は、キルティング及びプリント製品の経済的な商業生産を提供することである。本発明のさらなる目的は、キルトの生産中での、スケジューリング、プリンティング、キルティング及びカッティング作業を組合せる際に生じる問題を効果的に解決することである。本発明の特定の目的は、キルティング中の材料の収縮及びキルティングとプリンティングパターンの調整及びパターンの見当合わせを行う際にキルティングパネル間のクロッピングによって生じる問題を効果的に解決することである。
【課題を解決するための手段】
【０００９】
本発明の原理によると、機械読取可能なファイルが、キルティングのためにその上にプリントされた一連のパネルを有する材料の層を作成するプリントラインの作業中に使用するために準備される。プリントラインは、機械読取可能なレコードがその上に配置されたキルティングのための材料を作成する。キルトラインは、材料を受け取り、レコードから情報を読み取り、情報に従ってパネルをキルティングする。
【００１０】
本発明の１態様によると、プリントラインは、パネルがキルティングされるのとは反対の順序で、一連のパネルをその上に有する材料を作成する。材料はウェブ形態であってもよく、プリント後、最後にプリントされたパネルがキルタ内に最初に繰り出されるように、ロール上に巻き取られる。プリンタは、機械読取可能なファイルから読み取られた情報によって部分的に制御されてもよい。機械読取可能なファイルからの情報の他のものは、プリントされる、もしくは材料上のレコードに配置される。
【００１１】
本発明の他の態様によると、機械読取可能なファイルは、
パネルがキルティングされる順序、キルティング中にパネルに生じる収縮の量、キルティングに続いて隣接するパネルの間に作製されるクロップの量のうちの１つまたは複数の情報を含む。このような情報は、プリントラインで材料上に配置されるレコード内に含まれてもよい。このような情報はそのとき、キルティングステーションでセンサによって読み取られる状態にあり、センサは、情報を読み取り、キルタを情報に従ってキルティングするように制御する。パネルが次に、最も効率的な方式で、スケジュール及びバッチに従ってキルティングされる。パネルカッタもまた、材料上のレコードから読み取られた情報によって制御される。収縮もまた補償され、適切なクロップがパネル間に作製される。
【００１２】
本発明は、人間の操作者の誤差を除去するキルト製造システムを提供する。機械のスループット及び全体の生産性が、異なる製品または製品バッチが続けて生産されるときに普通ならば交換することが必要である、１つまたは複数の材料を交換する必要性を減少させることによって強化される。増加した機械の操業時間は、生産することができる製品の量を増加させる結果となり、一方、操作者のストレス及び疲労のレベルが低減される。また、パネルの収縮及びパネル間のクロップが、これらのパラメータがパネルごとに異なるときでさえも正確に操作される。
【００１３】
本発明のこれら及びその他の目的及び利点は、本発明の好ましい実施形態の図面の詳細な説明を追えば、容易に理解されよう。
【００１４】
図面は本発明の実施形態を線図式に表している。
【発明を実施するための最良の形態】
【００１５】
図面に示した本発明の好ましい実施形態は、生産情報をキルティングシステム内に直接かつ自動的に入力することを提供する。情報は、キルティングされる材料上の機械読取可能なレコードからキルティング機コントローラへ自動的に入力される。このようなレコードは、バーコードスキャナまたはリーダーによって、またはその他の光学センサによって読み取ることができるバーコードまたはその他の光学的に読取可能な媒体の形態であってよい。しかし、例えば機械的または磁気的に読取可能な媒体などの、光学的に読取可能な媒体以外の媒体のタイプも、技術の進歩によって可能である、または可能になるかもしれない他の媒体と同様に、使用することができる。このようなレコード内のコード化された情報は、材料に固定されたラベル上に含まれてもよい、または材料自体の上に、プリントされる、または他の方法で書かれる、または他の方法で付着されることができる
【００１６】
図面に示されているのは、このような情報のレコード１３が付着されている、例えばマットレス皮材料１１などの上質なウェブである。ウェブ１１は、そこで装飾的なパターン１５及び情報のレコード１３が付着されるプリントライン１０上に載置される。ウェブ１１は、通常供給ロール１２上で供給され、通常、フォーム、繊維充填及び裏打材料である、いくつかの他の材料層とともにキルティングされる最上部層として使用するのに適した織物材料の形態である。機械読取可能なレコード１３の形態のレコード１３内の情報が、これらの層のいずれかに付着されてもよいが、最も好都合には、この最上部層１１に付着される。情報に関連する概念もまた、キルティングされる材料のいずれかの層に、及び他のタイプの、キルティングされて重ねられる製品に付着することができるが、プリントされる層に情報を付着することによって特に利点が得られる。
【００１７】
情報は、別個のラベルを用いてウェブ１１上に配置することができる、または、プリンティングなどによって材料自体の上に直接付着させることができ、スキャナデバイスによって読み取られることができる材料の領域内のどこにでも配置することができる。ある位置に配置されたとき、このようなラベルまたはコードは、最終製品の外見または品質または価値を損なわないように容易に除去可能であることが望ましい。しかし、好ましくは、ラベルは、材料自体の上に追加で固定されるかプリントされるかのいずれかであり、材料の領域内の使用されないゾーンに配置され、走査デバイスのそばを通過することになる領域として指定された領域と位置合わせされる。このようなゾーンは、例えば、ウェブ１１の長手方向縁部に沿った耳領域またはストリップ１７を含む。
【００１８】
図示した実施形態では、ウェブ１１が、矩形のマットレスパネル１５に装飾パターンを印刷するプリンタ１４へ供給される。一連の様々なパネル１５a、１５b…が、例えば寝具製造者である顧客による注文に従って同一のまたは異なるパターンをプリントされてもよい。ウェブ１１上のパネル１５上にプリントされるパターンの間のこのような違いは、特定の作業または顧客のバッチ要求を満足することを目的としている。パターンの順序は、製造日程の基準を最も効率的に満たす順序で付着されるとき、最良である。プリンタ１４は、プログラム制御されたインクジェットまたはその他のダイレクトデジタルプリンタであり、要求に応じて個別のパターンを生成し、いくつかの異なるパターンのそれぞれの少量を順次にまたは他の配置で材料上に付着させることが可能である。本発明の好ましい実施形態では、このプリンタ１４はまた、材料１１上にコード化されたレコード１３を印刷する。
【００１９】
レコード１３は、スキャナまたは読取デバイスによって読取または翻訳される適切な記号を含んでもよい。レコード内の情報は、パネルが意図されている作業またはバッチの識別子、材料組成、連続番号、製品識別子または、製造、日程管理またはその他の様々なデータベースと連結して使用することができる、またはその他の方法でキルティングまたはその他の製品製造プロセスで使用することができる、その他の要求されるまたは必要とされる情報を含んでもよい。このような情報は、図示した実施形態では、キルタ、カッターまたはその他のキルト製造プロセス内の機械内に自動的に入力することができる。この情報は、例えば個別のキルティングライン２０内に配置されたキルティング機２１で情報を得るために使用することができる適用可能なスキャナ及び/または読取デバイスの必要に応じて、感知、読取または走査することができる形態及びフォーマットでウェブ１１上に配置される。
【００２０】
情報を走査及び読取するための装置は、現在入手可能な現在の技術による、いかなるタイプのものであってもよい。このような操作デバイスは、据置式または可搬式のいずれであってもよく、プロセス内の材料の走査が走査デバイスの視野内に入る間、または走査デバイスが、ラベルが付着された領域内に手動で移動されるまたは移動中の場合、プロセスの間作動するように構成することができる。図示した実施形態では、バーコードリーダーなどの光学スキャナ２２が、ウェブ１１の耳縁部に隣接するキルティング２１に配置される。
【００２１】
材料は、供給ロール１２から繰り出されたウェブ１１の形態で記載されているが、別法として、単体のシートの材料などの他の形態であってもよい。概念は、ロール対ロール、ロール対パネル及びシート対パネルキルティングシステムに適用され、複数の材料がプロセス内で接合されるキルティング以外の特定の技術に適用されてもよい。前記プロセスは、例えば、特定の材料、特定の作業または製品のためのラベルの付着またはプリントされた情報を伴ってもよい。図示した実施形態では、材料のウェブ１１が、供給ロール１２からプリンタ１４に供給され、プリントされた後、巻取ロール１８上に巻き取られる。ウェブ１１は、その上にプリントされるパネル１５がキルティングされる順序（１５a,１５b,１５c）の逆の順序（１５c,１５b,１５a）でプリントされる。パネル１５は、逆向きにプリントされ、パネル１５の端部に隣接するコード１３bが、プリントライン１０上のパネル１５の上流の端部でプリントされ、コード１３aがプリントライン１０上のパネル１５の下流の端部でプリントされる。
【００２２】
レコード１３は、ウェブ１１上に何個でも配置することができるが、好ましくは少なくとも１つのレコード１３が、各パネル１５についてウェブ１１上に配置される。好ましい構成では、レコード１３が、パネル１５の位置に対して厳密な関係で配置され、このことは、パネル１５とキルティング及び切離作業の見当合わせするためのレコード１３の使用を容易にする。図面に示された特定の構成では、パネル１５の始まりを特定するパネルの最初にあるレコード１３a及び各パネル１５の終わりにあるレコード１３bの、１対のレコード１３が、各パネル１５に対してウェブ１１に付着される。レコード１３は、追加でまたは別法として、パネル１５の各作業またはバッチに対して、またはパネル１５の各作業またはバッチの最初または終わりで、ウェブ１１に付着されることができる。パネル１５は、複数の様々なサイズ及び量のいずれかであることができ、ウェブ１１に沿ってパネルからパネルへ変化する。
【００２３】
中間レコード１３cを、レコード１３aと１３bの図示された位置の間に付着することができる。このような中間レコード１３cは、例えば、通常掛け布団または高価なマットレスカバーの形態で、キルトパターン及びプリントパターンが、パネル中央に見当合わせされるキルトである「パネル中央」パターンを中央に配置するのに使用することができる。このような中間レコード１３cは、パネルの中央で互いにパターンを見当合わせして使用するための基準または見当合わせの目印を提供することができる。
【００２４】
パネル１５のそれぞれの間で、キルタ２１の下流のキルティングライン２０上またはそれに続く切離ライン内に配置されるパネルカッタ３１またはその他の切離ステーション３０のデバイスが、隣接するパネルが物理的に及び実際に互いから分離されるように、パネル１５からキルティングされた製品を切離するために切離を行う。このような切離作業は、本明細書に記載されたように、及び上記で参照した特許５,５４４,５９９及び６,２３７,５１７に記載されたように、キルティングステーションの端部で好ましくは自動的に達成される。これを達成するための適切な機械的デバイスまたは装置がない場合、切離作業は、本明細書に記載されているキルティングライン及びプロセスとは別に、二次的な作業として達成することができる。キルティングプロセスで収縮または他のいかなる種類の寸法的な劣化を受ける、キルトなどの積層された材料の場合、別個の切離ラインは、最もコスト効果のある方式で高品質の製品を生み出すために望ましくないオプションである。
【００２５】
プリントライン１０を、別のラインで、またはプリント及びキルトラインを組合せて並べてのいずれかで、キルティングライン２０と同じ設備に配置することができる。大規模なキルト製造設備またはハイエンドのカスタム製品を専門にする他の設備でもそうである。しかし、多くの寝具製造者は、キルティングライン２０のみを動作させ、パネル１５を有する材料のウェブ１１を担持するロール１８にその特殊な注文または使用に応じてプリントさせる。これは、寝具製造者が、寝具製造者で、またはその制御下で行われるデータ準備プロセス４０によって生成されたデータファイル４４をプリント設備に供給することによって最もよ達成される。
【００２６】
プリンタへのデータファイルを準備することでの寝具製造者の考慮すべきことは、キルティング設備で行われる特定のキルティングプロセス中に、ウェブ１１の収縮及び寸法短縮を計上することである。キルティング設備のオペレータは、使用される特定のキルティングプロセスについて及び収縮に影響を与えるパラメータの最良の情報を有する。
【００２７】
例えば、マットレス、ボックススプリングカバーまたはその他の関連する製品を製造する目的などで構成材料層を互いにキルティングする過程で生じる寸法変化である収縮は、プロセスの作業を構成するいくつかの要因からもたらされる。これらの要因は、充填構成要素及び、それらが配置される積層順序、及び上部及び底部層、すなわちそれぞれ「皮地」及び「裏地」材料などの、意図された製品の製造に対して特定されるが指定されない材料の選択を含む。この皮地及び裏地の間の材料の積層は、製造される製品に対する材料の構成に相当している。
【００２８】
その上でキルティング製品が製造されるキルティング機２０は、製品が次々に、順番に生成するように機能する。この製造プロセスの連続的な性質は、過去には、機械の操作者、または作業のために専門に雇用された人などのその他の人間に、システムを通って移動する作業の順序で、材料を変更し、継合し、あるいは修正することをさせていた。ほとんどの場合の、変更されるこれらの材料は、従、機械の操業時間の損失の主な原因となるが、「皮地」と呼ばれる最上部の材料であった。操作者の職責は、材料の変更を確実にすることだけでなく、最少量の時間を消費するように、これらの変更を適切な時間で行うことであった。同じウェブ１１上に異なるパターンをプリントすることによって、これらの非効率性が大いに回避される。しかし、そうすることは、収縮要因の影響に妥協し、操作者の介在のないところに追加の誤差を注入することがあるだけでなく、キルトパターンが変更されるにつれてウェブに沿って変動することがある。
【００２９】
従って、プリントデータファイル４４の準備は、キルティングライン２０上で行われるキルティング作業がキルティングに最も適した順序でバッチ及び配置されるプロセス４０によって、好ましくはキルティング設備で行われる。工程管理者が、作業及び製品データ４１を、例えば製品データベース４２及びパターンデータベースなどのいくつかのデータベースファイルともリンクされているコンピュータに入力する。これらのデータベースは、プリントデータファイル４４についてのある制御パラメータを計算することができるコンピュータ内のスケジューラまたはプログラム４３によってアクセスされる。例えば、他のキルティングパラメータの追加のデータを加えたキルトパターンを定義するデータを伴う、材料を定義するデータの入力が、異なるパネル１５のそれぞれの収縮を計算するためにコンピュータによって処理される。この収縮はパネルごとに異なることがある。また、パネル１５がキルティングされる順序または順番は、キルタ２１上で１つのパネルから別のパネルへ移動するために必要なクロップの量に影響を与える。連続した同一のパネルは、例えば、２つの連続するパネルの間のキルトパターンの大幅な違いよりも、より少ない移動距離を必要とし、従より少ないパネル間のクロップ材料を必要とする。コンピュータは、適切に供給し、ウェブ１１上の作業のバッチをキルティングするために、キルタに通信されることが必要なパラメータのそれぞれを決定する。コンピュータはまた、プリンタに通信されるための他の情報も決定する。情報は、キルティングされるウェブ１１上にパターンを正確にプリントするために、及びキルタ２１のセンサ２２によって読み取られるウェブ１１上のレコード１３をプリントするために、プリンタ１４のコントローラ内の制御プログラム４８によって読み取られる。これらの情報の全てが、ウェブ１１が反対の順序でプリントされるようにプリンタに送信される。従、ロールを再巻取りする必要なく、キルティングライン２０に送達されるようにロール１４上に巻き取られる。パネル１５及びレコード１３が、このようにして、先入れ後出しの順序で、ウェブ１１上にプリントされる。
【００３０】
さらに、本発明の好ましい実施形態によると、キルティングライン２０のキルティングシステムを自動的に追尾し、交換のための信号を送ることを可能にする方法が実施される。このトラッキングは、米国特許第５,５４４,５９９号及び第６,２３７,５１７号及び第６,１０５,５２０号で議論されているバッチング及びスケジューリング概念を使用することができる。皮布は、最小の浪費及び最大のシステムスループットを有する高品質の製品を製造するために、ロール上に取り付けることがある適切な数の作業に対して必要な量、ならびに、材料の縫合層の通常の収縮に対して要求される材料の量、ならびに、プロセス中にまたは二次作業としてのいずれかで、切離システムから取り外すために必要なクロップ及び耳の量を含む情報によって事前に処理される。
【００３１】
スキャナまたは適切な読取機がそこからデータを得ることができる適切なゾーン内に適切な作業情報をプリントされ、皮布１４のロールが、キルティングライン２０に送達される。このロール１４は、顧客または装置の使用者が、所望の最終製品を生産するためにキルトライン２０のキルティングシステムを通じて処理するプリントプロセスを介して、適切なパターン、形状、色などをその上に含んでいる。この事前にプリントされた情報を有する皮布が、事前処理作業を通過しなければならない皮布に代わり、それによって、キルティングされる適切な作業のための皮布の量が、異なるパターン支持セクションから継合され、ロール上に巻き取られる。製品ベースの皮布の単一の継合されたロールは、所望の作業順序で互いに継合された１つまたは複数の異なる皮布を、製品がシステムを通過する過程で経験的に決定しなければならない収縮及びクロップアウトの値に対処するために十分に含む。バッチプリントされ、コード化されたロール１４では、この同一の皮布が、機械的に読取可能なレコードをプリントまたは付着されるように計画され、それによって、皮布ロール上にあるパッケージ全体が、レコード１３からコードリーダー２２を介して確認することができる。バッチ情報全体が、そのようにプリントすることはできるが、プリントされた皮布上に直接プリントされたレコードの形態ではなく、ロール１４上のウェブ１１の端部に好ましくは固定されるマスターラベル１９の形態で、プリントされたロール１４に好ましくは追加される。このようにして、ロール１４が最初にプリントライン２０上に装填されるとき、センサ２２またはその目的のための別のセンサが、ロールラベル１９を読み取り、情報をキルタコントローラまたはキルティングステーションの別のコンピュータにロードする。キルティングの前に、全ての設定が、指示及び実行され、材料及び設定が確認される。そのように装備されたキルティングシステムは、それによって、機械の前記運転中に自動的に走査された情報によって、それぞれに連続する作業をいつ開始し、停止するのかを知る。
【００３２】
上記に記載したシステム及び方法の実施の結果、ウェブ１１のロール１４が、反対の順序で、ウェブ１１上にプリントされたパネル１５及びコード化されたレコード１３で事前にプリントされ、ロール１４上に巻き取られることになり、ロール標示ラベルまたはレコード１０が、ロール１４上のウェブ１１のアクセス可能な端部にある。キルティングされていないウェブ１１状のパネル１５は、最終的にキルティングされるパネルが、収縮に対処するための追加の長さSを加えた長さLと等しい長さを有する。プリントされる画像は、L+Sのプリントされる画像長さまで、通常一様に、長手方向に拡大または伸長される。また、プリントされる画像は、２つのパネル間のクロップのために必要な寸法と等しい距離cだけ間隔を空けられることになる。これらの寸法は、パネルごとに全て様々である。
【００３３】
ここに記載した本発明の適用例は様々で  あること、本発明が好ましい実施形態で説明されていること、及び本発明の主題から逸脱することなく追加及び修正を行うことができることを、当業者なら理解されよう。
【図面の簡単な説明】
【００３４】
【図１】本発明の好ましい実施形態の概略図である。
【符号の説明】
【００３５】
１０  プリントライン
１１  材料、ウェブ
１２  ロール
１３  レコード
１３a、１３b、１３c  コード
１４  プリンタ
１５  パネル
１５a、１５b、１５c  キルティングされる順序
１７  ストリップ
１８  巻取ロール
２０  キルティングライン
２１  キルタ
２２  センサ
３０  切離ステーション
３１  パネルカッタ
４０  データ準備プロセス
４２  製品データベース
４３  プログラム
４４  データファイル
４８  制御プログラム
【図１】
0004607461.tif 000002